(57)【要約】【課題】可変シェードを駆動するのに必要な駆動力を確保し、かつ過熱を防止した小型のソレノイド型のアクチュエータを備えた車両用ランプを提供する。【解決手段】光源２から出射した光の一部を遮光して所要の配光を得るための可変シェード５を備える車両用ランプであって、可変シェード５を駆動して配光を切り替えるためのソレノイド型のアクチュエータ６と、当該アクチュエータ６に通電する電流を制御するための電流制御装置１０を備える。電流制御装置１０はアクチュエータ６の始動時に通電する初期電流を、その後に通電する定常電流よりも大電流に制御する。初期電流によってアクチュエータ６を迅速に始動させ、その後は小電流で駆動することによりアクチュエータ６での発熱を抑制する。【選択図】  図１
2013180712.tif 000002
【特許請求の範囲】
【請求項１】
光源から出射した光の一部を遮光して所要の配光を得るための可変シェードを備える車両用ランプであって、前記可変シェードを駆動して配光を切り替えるためのソレノイド型のアクチュエータと、前記アクチュエータに通電する電流を制御するための電流制御装置を備え、前記電流制御装置は前記アクチュエータの通電初期に通電する初期電流を、その後に通電する定常電流よりも大電流に制御するように構成されていることを特徴とする車両用ランプ。
【請求項２】
前記電流制御装置は、通電する電流の基準電流を設定し、初期電流を当該基準電流よりも大電流に制御し、定常電流を前記基準電流に制御する構成であることを特徴とする請求項１に記載の車両用ランプ。
【請求項３】
前記電流制御装置は、入力信号に基づいて生成される定常電流を大電流の初期電流に変換するカレントモードアップコンバータと、前記入力信号が入力されてから所定時間の経過後に当該カレントモードアップコンバータの機能を停止または抑制するタイマとを備えることを特徴とする請求項２に記載の車両用ランプ。
【請求項４】
前記電流制御装置は、通電する電流の基準電流を設定し、初期電流を当該基準電流に制御し、定常電流を前記基準電流よりも小電流に制御する構成であることを特徴とする請求項１に記載の車両用ランプ。
【請求項５】
前記電流制御装置は、入力信号に基づいて生成される初期電流をそれよりも小電流の定常電流に変換する電流クランプ回路と、前記入力信号が入力されてから所定時間の経過後に当該電流クランプ回路を始動させるタイマとを備えることを特徴とする請求項４に記載の車両用ランプ。
【請求項６】
前記電流制御装置は、入力信号に基づいて生成される初期電流と定常電流のパルス幅を制御する電流チョッパ回路と、前記入力信号が入力されてから所定時間の間は前記初期電流のパルス幅を定常電流のパルス幅よりも大幅に制御するタイマとを備えることを特徴とする請求項４に記載の車両用ランプ。
【請求項７】
前記電流制御装置は、前記アクチュエータが所定のストロークまで動作する間は初期電流に制御し、当該ストロークを越えて動作するときに定常電流に制御することを特徴とする請求項１ないし６のいずれかに記載の車両用ランプ。
【請求項８】
前記アクチュエータは通電されたときに前記可変シェードをロービーム配光からハイビーム配光に切り替えることが可能に構成され、前記電流制御装置は前記可変シェードがハイビーム配光に切り替えが完了するまで初期電流に制御し、ハイビーム配光に切り替えた後に定常電流に制御することを特徴とする請求項７に記載の車両用ランプ。
【発明の詳細な説明】
【技術分野】
【０００１】
本発明は可変シェード（遮光板）を駆動して配光を切り替える車両用ランプに関し、特に可変シェードを駆動するための駆動機構にソレノイド型のアクチュエータを備える車両用ランプに関するものである。
【背景技術】
【０００２】
車両用ランプでは、配光を切り替えるためにランプ内に可変シェードを配設し、この可変シェードを駆動することによって光源から出射された光の遮光領域を切り替えるようにしたランプが提供されている。このような可変シェードを駆動するためのアクチュエータとして、従来ではモータを駆動源とするアクチュエータやソレノイドを駆動源とするアクチュエータが提案されている。例えば、前者の例として特許文献１に記載の技術があり、後者の例として特許文献２に記載の技術がある。これらのアクチュエータには一長一短があり、例えば、モータ型のアクチュエータは可変シェードを駆動させるのに必要とされる駆動力を得る場合でも小型に構成できるが、モータを回転、停止させる際の電流変化に伴う電磁波ノイズが発生し、この電磁波ノイズが車両に搭載している電子機器、特に電子制御機器の誤作動を生じさせる原因となる。一方、ソレノイド型のアクチュエータは、これとは反対に電磁波ノイズは発生しないが、可変シェードを駆動させるのに必要な駆動力を得るためにはアクチュエータを構成しているコイルの径寸法や軸長寸法を長くし、あるいはコイルの巻数を多くする必要がありモータ型のアクチュエータに比較して大型化することになる。
【先行技術文献】
【特許文献】
【０００３】
【特許文献１】特開２００４−３４２６１５号公報
【特許文献２】特開２００７−２１３９３８号公報
【発明の概要】
【発明が解決しようとする課題】
【０００４】
このようなことから、近年の電子機器を多数備えた車両では電磁波ノイズを発生しないソレノイド型のアクチュエータを採用することが考えられている。しかし、近年の車両用ランプは、ランプの光源としてＬＥＤ（発光ダイオード）等の発光素子が採用され、ランプの低消費電力化と小型化を図ることも行われているため、このような小型化を図ったランプでは、サイズ的に従来から提供されているソレノイド型のアクチュエータをランプ内に配設することが難しくなり、ランプユニットの小型化に対応してアクチュエータも小型のものを用いる必要がある。しかし、小型のソレノイド型のアクチュエータは大型のアクチュエータに比較して同じ駆動電流を供給した場合の駆動力が低く、可変シェードを迅速かつ確実に駆動させることが難しい。また、アクチュエータの小型化に伴ってソレノイドの熱容量も低くなるため、所定の駆動電流を供給したときの発熱量が大型のアクチュエータに比較して大きくなり、アクチュエータ自身を過熱し、ないしはランプユニットを過熱する要因になる。
【０００５】
本発明の目的は小型化を実現する一方で可変シェードを駆動するのに必要な駆動力を確保し、さらには省電力化を図るととともに過熱を防止したソレノイド型のアクチュエータを備えた車両用ランプを提供するものである。
【課題を解決するための手段】
【０００６】
本発明は、光源から出射した光の一部を遮光して所要の配光を得るための可変シェードを備える車両用ランプであって、可変シェードを駆動して配光を切り替えるためのソレノイド型のアクチュエータと、当該アクチュエータに通電する電流を制御するための電流制御装置を備えており、電流制御装置はアクチュエータの通電初期に通電する初期電流を、その後に通電する定常電流よりも大電流に制御するように構成されていることを特徴とする。
【０００７】
本発明における第１の形態として、電流制御装置は、通電する電流の基準電流を設定し、初期電流を当該基準電流よりも大電流に制御し、定常電流を前記基準電流に制御する構成とする。また、第２の形態として、電流制御装置は、通電する電流の基準電流を設定し、初期電流を当該基準電流に制御し、定常電流を前記基準電流よりも小電流に制御する構成とする。
【０００８】
本発明において、電流制御装置は、アクチュエータが所定のストロークまで動作する間は初期電流に制御し、当該ストロークを越えて動作するときに定常電流に制御するようにしてもよい。例えば、アクチュエータは通電されたときに可変シェードをロービーム配光からハイビーム配光に切り替えることが可能に構成され、電流制御装置は可変シェードがハイビーム配光に切り替えが完了するまで初期電流に制御し、ハイビーム配光に切り替えた後に定常電流に制御する構成とする。
【発明の効果】
【０００９】
本発明によれば、電流制御装置での電流制御に際しては、例えば、アクチュエータにハイビーム電圧を入力してからタイマで計時される所定時間の間はアクチュエータに低基準電流よりも大きな電流を通電することにより、小型のアクチュエータの始動時における駆動力を高めることができ、アクチュエータによる可変シェードの切り替えを迅速に行うことができる。また、タイマが所定時間を計時した後はアクチュエータには低基準電流に設定した定常電流を通電するが、この時点ではアクチュエータの駆動力は小さくて済むのでアーマチュアを確実に移動させることができる。さらに、始動の初期にはアクチュエータに大電流の初期電流を通電するが、始動後は直ちに定基準電流の定常電流を通電するのでアクチュエータでの省電力化が実現できるとともに、当該アクチュエータにおける発熱を抑制し、アクチュエータないしランプの過熱を未然に防止することが可能になる。
【図面の簡単な説明】
【００１０】
【図１】本発明を適用したランプユニットの概略鉛直断面図。
【図２】図１のランプユニットの可変シェードの外観図。
【図３】ソレノイド型のアクチュエータの移動ストロークと駆動電流の相関を示す特性図。
【図４】本発明にかかる電流制御装置の電流制御形態を説明する図。
【図５】第１の電流制御形態の電流制御装置の回路図。
【図６】図５の電流制御装置のタイミング図。
【図７】第１の電流制御形態の電流制御装置の変形例の回路図。
【図８】図７の電流制御装置のタイミング図。
【図９】第２の電流制御形態の電流制御装置の回路図。
【図１０】図９の電流制御装置のタイミング図。
【図１１】第２の電流制御形態の電流制御装置の変形例の回路図。
【図１２】図１１の電流制御装置のタイミング図。
【発明を実施するための形態】
【００１１】
（実施形態１）
次に、本発明の実施の形態について図面を参照して説明する。図１は本発明を自動車用ヘッドランプに用いるランプユニットに適用した実施形態のランプ光軸に沿った概略鉛直断面図である。ランプユニットＬＵはいわゆるプロジェクタ型ランプとして構成されており、ランプベース１上に光源としてのＬＥＤ２が搭載されるとともに、このＬＥＤ２を覆うように回転楕円面の一部で構成されたリフレクタ３が配設されている。また、前記ランプベース１の前端部には照射レンズ４が支持されている。さらに、前記ランプベース１には、前記リフレクタ３と照射レンズ４との間に可変シェード５と、この可変シェード５を駆動するためのアクチュエータ６が配設されている。このランプユニットＬＵは、ＬＥＤ２が発光したときに出射された光をリフレクタ３により前方に向けて反射し、当該反射光３ないしＬＥＤ２から直接出射された光を照射レンズ４によりランプユニットＬＵの前方に向けて照射する。また、可変シェード５をアクチュエータ６によって駆動することによりＬＥＤ２から出射した光の一部を遮光して当該照射レンズ４に入射する光束を制御し、照射する光の配光を制御する。
【００１２】
前記可変シェード５は、図２（ａ）に概略外観図を示すように、ランプ光軸Ｌｘと直交する左右方向に沿って前記ランプベース１の両側に立設した支持片１１に両端支持された傾動軸５１を有し、この傾動軸５１には当該傾動軸５１を中心にして所要の角度範囲で上下方向に傾動可能なシェード体５２が支持されている。このシェード体５２は前記ＬＥＤ２側に向けて凸状に湾曲した板状に形成され、その左右両端部において前記傾動軸５１に支持されるとともに、その上縁５２ａはロービーム配光パターンのカットオフラインに対応した形状に形成されている。また、シェード体５２の正面から見て右側の下縁部には下方に向けて突出されたカムピン５３が一体に設けられており、このカムピン５３は前記アクチュエータ６の一部に係合されている。
【００１３】
前記アクチュエータ６は、同じく図２（ａ）に外観を示しているが、ランプユニットＬＵの小型化に対応した小型のソレノイド型アクチュエータとして構成されている。このアクチュエータ６は、通電されたときに磁界を形成する図には表れないソレノイド（コイル）を一体的に内装したケーシング６１と、このケーシング６１内に一部が内装されるとともに、コイル状のスプリング６３によって突出方向に付勢された比較的に太径の円柱状をした金属製のアーマチュア６２とを備えている。このアーマチュア６２は前記ソレノイドが非通電のときにはスプリング６３の伸長力によって突出状態にあり、前記ソレノイドに通電されて磁力が発生したときには、当該磁力によってスプリング６３の伸長力に抗してケーシング６１の方向に吸引移動される構成である。前記アーマチュア６２のケーシングから突出された端部の先端には板状のカム部６４が一体に形成されており、このカム部６４には所要形状のカム溝６４ａが板厚方向に貫通して形成されるとともに、このカム溝６４ａに前記シェード体５２に設けられているカムピン５３が貫通されている。カム溝６４ａは前記傾動軸５１の軸方向に対して傾斜しており、アーマチュア６２が軸移動されたときにはカム溝６４ａに係合したカムピン５３はカム溝６４ａとの係合によるカム動作によって傾動軸５１の軸回り方向に移動され、この移動に伴って前記シェード体５２を傾動軸５１を中心にして傾動させることになる。
【００１４】
したがって、このアクチュエータ６を備えた可変シェード５によれば、ソレノイドに非通電のときには、図２（ａ）のように、アーマチュア６２はスプリング６３の伸長力によって突出状態にあり、カム溝６４ａに係合しているカムピン５３は鉛直下方に向けられた回動位置にある。そのため、これと一体のシェード体５２は図１の実践のように起立状態にあり、ＬＥＤ２から出射された光の一部はシェード体５２によって遮光され、ランプユニットＬＵの配光はシェード体５２の上縁５２ａの形状に倣ったカットオフラインを有するロービーム配光となる。一方、ソレノイドに通電されると、図２（ｂ）に示すように、アーマチュア６２はスプリング６３の伸長力に抗してケーシング６１に向けた方向Ｓに吸引移動されるため、カム溝６４ａに従動されるカムピン５３は前方向Ｍに移動され、これと一体のシェード体５２は図１の鎖線のように傾動軸５１を中心に後方に倒れる方向Ｒに傾動される。これにより、シェード体５２はＬＥＤ２から出射された光の光路から退避され、当該光を遮光しない傾動状態となり、ランプユニットＬＵの配光はハイビーム配光となる。
【００１５】
前記アクチュエータ６は、図１に示した電流制御装置１０によりアクチュエータ６のソレノイドに通電される電流が制御されるように構成されており、その電流制御によって前記したようにアーマチュア６２が吸引移動されてシェード体５２を傾動制御し、可変シェード５によるランプユニットＬＵの配光の切り替えが行われる。ここで、図３は一般的なソレノイド型のアクチュエータの「移動ストローク−駆動力」の特性を示す図であり、アクチュエータに一定の電流を通電してアーマチュアを移動させたときのストローク長と、アーマチュアを駆動するのに必要な駆動力の相関を示している。この特性から判るように、アクチュエータに通電を開始してアーマチュアを初期位置から移動させ始めるときには大きい駆動力が必要であるが、アーマチュアがある程度のストローク長だけ移動した際にはその駆動力は小さくて済むことが判る。この駆動力はアーマチュアの初期位置からのストローク長のほぼ２乗に反比例しており、例えば、本実施形態において用いている小型のアクチュエータの場合には、アーマチュアを初期位置から１ｍｍ程度吸引移動する際の初期の駆動力は、アーマチュアが初期位置から３ｍｍ程度移動する際の駆動力の３〜４倍程度である。この駆動力はアクチュエータに通電する電流の大きさに比例しており、大きな駆動力を得るためには通電する電流量を大きくすることになる。
【００１６】
また、この種のソレノイド型のアクチュエータは、図示はしないが、通電する電流量にほぼ比例して発熱温度が高くなる特性を有している。ソレノイドのサイズ（コイル長、コイル径、コイル巻数等）が小さいアクチュエータでは、ソレノイドのサイズが大きいアクチュエータと同じ電流を通電した場合でも発熱温度が高くなる。そのため、実施形態のように小型に構成したアクチュエータでは、例えば、アーマチュアを初期移動させるのに必要とされる駆動力を得るために相対的に大きな電流を通電し続けたような場合には、当該電流によってソレノイドにおける発熱温度が増加し、アクチュエータ自身ないしランプユニットが過熱される要因になる。
【００１７】
本発明ではこのようなソレノイド型のアクチュエータの駆動力特性及び発熱特性に起因する問題を解消するために、前記ランプユニットＬＵに設けているアクチュエータ６の電流制御を行う前記電流制御装置１０を改善したものである。すなわち、図４（ａ），（ｂ）は本発明においてアクチュエータ６に通電する電流特性を示す図であり、横軸が時間、縦軸が通電する駆動電流である。ここでは、アクチュエータに通電する初期の駆動電流（以下、初期電流と称する）と、その後に通電する駆動電流（以下、定常電流と称する）とを比較したときに、初期電流の電流値を定常電流よりも相対的に大きな電流に制御している。このような電流制御を行うことにより、アクチュエータ６への通電初期の駆動力が大きくされてアーマチュア６２が迅速かつ確実に移動されるようにする一方、アーマチュア６２が所定ストローク移動された後は小電流でもアーマチュア６２の移動を可能にすることが可能になり、同時にその際の発熱を抑制することができる。
【００１８】
このような電流制御装置における電流を制御する形態として、この実施形態では第１の電流制御形態と第２の電流制御形態を説明する。第１の電流制御形態は、図４（ａ）のように、定常電流を基準電流として設定し、初期電流を基準電流よりも大きな電流にアップ制御する形態である。また、第２の電流制御形態は、図４（ｂ）のように、初期電流を基準電流として設定し、定常電流を基準電流よりも小さい電流にダウン制御する形態である。なお、これらの基準電流を判別するために、前者の定常電流を設定するための基準電流を低基準電流と称し、後者の初期電流を設定するための基準電流を高基準電流と称する。いずれの電流制御形態においても、前記したように、初期電流によってアクチュエータ６におけるアーマチュア６２の始動を可能とし、その後は定常電流によってアーマチュアが継続して移動することを確保するとともに、この小電流に設定した定常電流によってアクチュエータ６での省電力化を図り、かつアクチュエータ６における過熱を防止することが可能になる。
【００１９】
（第１の電流制御形態）
図５は第１の電流制御形態、すなわちアクチュエータ６に通電する定常電流を低基準電流に設定し、初期電流を低基準電流よりも大電流にアップ制御する形態の電流制御装置１０の回路図である。なお、以下の説明において、ＦＥＴは電界効果トランジスタ、Ｑはバイポーラトランジスタ、Ｃはコンデンサ、Ｒは抵抗、Ｄはダイオードである。この実施形態の電流制御装置は、ＴＭ（タイマ）とＣＵＣ（カレントモードアップコンバータ）を備えており、図１に示したランプユニットＬＵをハイビーム配光に切り替える際にはＨｉＶ（ハイビーム電圧）が入力端ＩＮに入力される。このＨｉＶとして、ここではバッテリ電圧をそのまま入力するように構成している。また、当該電流制御装置１０の出力端ＯＵＴには前記アクチュエータ６が接続され、当該出力端ＯＵＴから出力する駆動電流を当該アクチュエータ６のソレノイドに通電してアクチュエータ６を駆動する。
【００２０】
前記ＴＭはＨｉＶが入力端ＩＮに入力された時点から所定の時間を計時し、所定時間を計時したときをタイムアップとする。前記ＣＵＣはタイムアップするまではＨｉＶを経時的に蓄電しながら出力端ＯＵＴに初期電流を出力するが、タイムアップされた後には蓄電動作が停止されてＨｉＶに準じた定常電流を出力する。これにより、ハイビーム配光に切り替えるためのＨｉＶが電流制御装置１０に入力されたときには、所定時間が経過するまでは蓄電した電圧に基づいて低基準電流よりも大きな初期電流がアクチュエータ６に通電されてアーマチュア６２を大きな駆動力で吸引移動を開始させ、アーマチュア６２が所定ストローク移動された後は低基準電流に設定された定常電流がアクチュエータ６に通電される。
【００２１】
この動作を図６のタイミング図を併せて参照して具体的に説明すると、前記ＣＵＣは、ＨｉＶが入力されるとＯＳＣ（発振器）が発振を開始し、その立ち上がりエッジでＲＳ型のＦＦ（フリップフロップ）をセットする（Ｓ信号）。ＦＦがセットされると、ＦＥＴがＯＮ状態になり、Ｒｓ（シャント抵抗）を通してＬ（インダクタ）に電流が流れ、当該Ｌに磁気エネルギが蓄電される。Ｒｓの降下電圧（ａ電圧）が徐々に高くなり、ＣＭＰ（コンパレータ）の比較電圧（ｄ電圧）よりも高くなるとＣＭＰの出力が反転し、ＦＦがリセットされてＦＥＴがＯＦＦ状態になる。ＦＥＴのＯＦＦによりＬに蓄電された電磁エネルギはＣ２に充電され、出力端ＯＵＴを通してアクチュエータ６に通電される。このＦＥＴのＯＮ，ＯＦＦを繰り返すことにより、Ｃ２の充電量が増大して行きアクチュエータ６に通電される電流が増加される。ここで、前記ｄ電圧は、ＯＰ（オペアンプ）によってＣ２の電圧をＲ１とＲ２で分圧したｂ電圧と、Ｖｒｅｆ（基準電圧）との差（ｄ電圧＝Ｖｒｅｆ−ｂ電圧）を増幅した値である。そのため、ｂ電圧が低下してｄ電圧が大きくなるとＦＦのセット時間が長くなってＦＥＴのＯＮ時間が長くなり、Ｌの蓄電時間も長くなり出力端の電圧が増加し、出力される電流も増加する。
【００２２】
一方、ＨｉＶが入力されるのと同時に、ＴＭではＲ１１を介してＣ３が充電される。Ｃ３が所定電圧に充電されるまではＱ１はＯＦＦであり、前記したようにＦＥＴのＯＮ状態が保たれる。Ｃ３が所定電圧まで充電されるとタイムアップとなり、Ｑ１がＯＮし、ＦＥＴのゲート電圧（ｃ電圧）は０になる。そのため、以降においてＦＥＴは継続してＯＦＦ状態となり、Ｌへの蓄電が行われず、当該Ｌ及びＤ１，Ｄ２を通した定常電流が出力端ＯＵＴから出力されてアクチュエータ６に通電される。ここでＴＭにおいてＱ１がＯＮするまでの時間、すなわちタイマ時間をアクチュエータ６のアーマチュア６２が所定ストローク始動するのに十分な時間に対応させていることは言うまでもなく、また定常電流は前記した低基準電流に設定されていることは言うまでもない。
【００２３】
この電流制御装置１０は、アクチュエータ６にＨｉＶを入力してからＴＭで計時される所定時間の間はアクチュエータ６に低基準電流よりも大きな電流を通電するので、アクチュエータ６の始動時における駆動力を高めてアーマチュア６２を迅速に移動させ、ロービーム配光からハイビーム配光への切り替えを迅速に行うことができる。ＴＭが所定時間を計時した後はアクチュエータ６には低基準電流に設定した定常電流を通電するが、この時点ではアクチュエータ６の駆動力は小さくて済むのでアーマチュア６２を確実に移動させることができ、ハイビーム配光の切り替えを確実に行うことができるとともに、ハイビーム配光の状態を保持することができる。一方、始動の初期にはアクチュエータ６に大電流の初期電流を通電することになるが、始動後は直ちに低基準電流の定常電流を通電するのでアクチュエータ６での省電力化が実現できるとともに、当該アクチュエータ６における発熱を抑制し、当該アクチュエータないしランプユニットの過熱を未然に防止することが可能になる。特に、ハイビーム配光の状態が長時間にわたる場合でもアクチュエータ６の過熱を防止することが可能になる。
【００２４】
ここで第１の電流制御形態に基づく電流制御装置として、図７に示す構成の電流制御装置１０Ａとすることが可能である。同図において図５と等価な部分には同一符号を付してその説明は省略する。ここでは、ＴＭのＱ１のベースに接続するＲ１１とＣ３を逆方向に接続するとともに、当該Ｑ１のコレクタをＣＵＣのｂ電圧の端子に接続する。また、入力端ＩＮと出力端ＯＵＴとの間、ここではＤ２とＬとの間にフューズＦｕを介挿する。このフューズＦｕは既存の電子部品であるフューズを用いてもよいが、例えばＬにつながるプリント配線の配線パターンを一部細く形成して電流容量を低減することによっても構成できる。
【００２５】
この電流制御装置１０Ａの基本的な動作は図５に示した電流制御装置１０と同じであるが、図８のタイミング図を併せて参照すると、ＴＭにおいてＣ３が充電されるまではＱ１はＯＮであり、ｂ電圧は出力端ＯＵＴの電圧をＲ１とＲ２／／Ｒ６で分圧した電圧である。そのためｂ電圧は低く、ｄ電圧は高くなりＦＦのセット時間、すなわちＦＥＴのＯＮ時間が長くなってＬでの蓄電により定常電流、すなわち定基準電流よりも大きな初期電流が得られる。ＴＭにおいてＣ３が充電されるとタイムアップとなり、Ｑ１はＯＦＦとなり、ｂ電圧は出力端ＯＵＴの電圧をＲ１とＲ２で分圧した電圧となるのでｂ電圧が増加し、ｄ電圧が減少する。そのため、ＦＦのセット時間が短くなってＦＥＴのＯＮ時間も短くなり、Ｌの蓄電が低下してＣ２の充電電圧が低減され、定基準電流である定常電流が得られる。なお、このときＣ２の充電電圧の低下に伴ってｂ電圧はタイマアップした後は幾分低下することになる。また、この状態ではＲｓによるａ電圧とｄ電圧に基づいてＦＦは継続して動作しているので、ＨｉＶに変動が生じている場合でも、この変動を相殺して定常電流を一定レベルの駆動電流、すなわち低基準電流に制御することができ、アクチュエータ６を所定位置に安定状態に駆動制御することができ、可変シェード５が変動されるようなこともない。
【００２６】
また、フューズＦｕを介挿することにより、出力端ＯＵＴに接続されるアクチュエータ６での短絡や、電流制御装置１０Ａの内部での出力端につながる配線での短絡や、電流制御装置１０Ａを構成するＦＥＴ等の電子部品のショートモードの故障によって過電流が生じたときにＦｕを焼損させることで電流制御装置１０Ａないしはアクチュエータ６の焼損を未然に防止することができる。このＦｕは図５に示した電流制御装置１０に設けても良い。
【００２７】
（第２の電流制御形態）
図９は第２の電流制御形態、すなわちアクチュエータ９への通電の初期電流を高基準電流に設定し、その後に通電する定常電流を高基準電流よりも小電流にダウン制御する形態の電流制御装置の回路図である。この電流制御装置１０Ｂは、いわゆる電流クランプ回路として構成されており、Ｑ１のＶBEがＲｓの降下電圧に等しく構成されている。図１０のタイミング図を併せて参照すると、ＨｉＶが入力されると、Ｒｄ及びＲｅを通してＣが充電されるまでＱ２がＯＮし、ａ電圧は０となりＱ１のベース入力（ｂ電圧）はＲｓの電圧降下をＲａとＲｂで分圧した電圧となる。そのため、Ｑ１はＯＦＦであり、ＦＥＴのゲート電圧は高くソース・ドレイン間は低抵抗となり、ＨｉＶによってＦＥＴを通して流れる電流は予め設定した高基準電流の初期電流となり、出力端ＯＵＴからアクチュエータ６に通電される。Ｃが充電されるとＱ２がＯＦＦし、Ｑ１のベース入力（ｂ電圧）はＲｓの降下電圧となり、Ｑ１はＯＮされる。そのため、ＦＥＴのゲート電圧が低下してソース・ドレイン間は高抵抗となり、ＦＥＴを通して流れる電流は予め設定した高基準電流よりも低電流の定常電流として出力端ＯＵＴからアクチュエータ６に通電される。この間、Ｑ１はＲｓの降下電圧に基づいてＦＥＴのゲート電圧を制御するので、ＨｉＶの変動にかかわらず一定の定常電流を通電することができ、アクチュエータ６における変動、すなわち可変シェード５での変動を防止することもできる。なお、ＨｉＶが入力されなくなると、次の動作に備えてＣの電荷をＲｅ，Ｒｆを介して急速放電する。
【００２８】
この電流制御装置１０Ｂは、アクチュエータ６にＨｉＶを入力してから所定時間の間はアクチュエータ６に高基準電流に設定した初期電流を通電するので、アクチュエータ６の始動時における駆動力を確保することができ、アーマチュア６２を迅速に移動させ、可変シェード５によってハイビーム配光への切り替えを迅速に行うことができる。所定時間を計時した後はアクチュエータ６には高基準電流よりも低く設定した定常電流を通電するが、この時点ではアクチュエータ６の駆動力は小さくて済むのでアーマチュア６２を確実に移動させることができ、ハイビーム配光に確実に切り替えるとともに、ハイビーム配光の状態を保持することができる。このように、アクチュエータ６の始動後は直ちに高基準電流よりも小さい定常電流を通電するのでアクチュエータ６における省電力化を図るとともに、アクチュエータ６の発熱を抑制して当該アクチュエータないしランプユニットの過熱を未然に防止することが可能になる。
【００２９】
図１１は第２の電流制御形態の電流制御装置１０Ｃの他の例の回路図であり、ここではいわゆるＰＷＭ（パルス幅変調）方式の電流チョッパ回路として構成した例である。図１２のタイミング図を併せて参照すると、ＨｉＶをＲ１とＲ２で分圧したａ電圧と、ＺＤ（定電圧ダイオード）による基準電圧（ｂ電圧）をＯＰ１に入力して両者の差をとり、ＨｉＶをレベル変換したｃ電圧を得る。ＴＭ（タイマ）は初期電流を通電する時間を計時し、計時するまではＱ１をオンし、計時後はＱ１をＯＦＦすることで前記ｃ電圧を０レベルを基準とした比較電圧としてのｄ電圧を得る。また、ＯＳＣ（鋸波発振器）は鋸波状のｅ電圧を発生し、ＯＰ２においてｄ電圧と比較することによりＰＷＭ変調されたｆ電圧を出力する。ＩＮＴ（傾き設定回路）はＣとＲ７とで構成される積分回路からなり、これらＣとＲ７とで設定される時定数に基づいてｆ電圧のパルス波形における立ち上がりと立ち下がりの傾斜を緩和したｇ信号を出力し、ＦＥＴのゲートに入力する。これにより、ＦＥＴはハイビーム電圧の電圧レベルに対応したパルス電圧によりソース・ドレイン間の導電性が制御され、対応した駆動電流を出力端ＯＵＴからアクチュエータ６に通電する。
【００３０】
この電流制御装置１０Ｃでは、ＴＭが計時している初期の間はｄ信号を０レベルとしているので、ｆ電圧ないしｇ電圧は１００％のデューティ比のパルス電圧となり、アクチュエータ６に通電される駆動電流は最大の電流、すなわち高基準電流に設定された初期電流となる。ＴＭの計時が完了した後はｆ電圧ないしｇ電圧はＨｉＶのレベルに対応したデューティ比のパルス電圧となるため、アクチュエータ６に通電される駆動電流は当該デューティ比に対応した電流、すなわち初期電流よりも抑圧された定常電流となる。
【００３１】
したがって、アクチュエータ６にＨｉＶを入力してから所定時間の間はアクチュエータ６に高基準電流に設定した初期電流を通電するので、アクチュエータ６の始動時における駆動力を確保することができ、アーマチュア６２を迅速に移動させ、ハイビーム配光への切り替えを迅速に行うことができる。所定時間を計時した後はアクチュエータ６には高基準電流よりも低く設定した定常電流を通電してアーマチュア６２を確実に移動させ、ハイビーム配光への切り替えを確実に行うとともに、ハイビーム配光の状態を保持することができる。このように、アクチュエータ６の始動後は直ちに高基準電流よりも小さい定常電流を通電するのでアクチュエータ６における省電力化を図るとともに、アクチュエータ６の発熱を抑制して当該アクチュエータないしランプユニットの過熱を未然に防止することが可能になる。
【００３２】
また、この電流制御装置１０Ｃでは、ＩＮＴによりｇ電圧のパルス波形の立ち上がりと立ち下がりの傾斜が緩和されているので、これらの立ち上がりと立ち下がり時に発生するノイズを抑圧し、車両に搭載している電子制御機器等における誤動作や安定性の低下を未然に防止することができる。なお、立ち上がりと立ち下がりの傾斜を緩和することにより、いわゆるスイッチング損失が生じるが、ここではパルス周波数が低周波数領域での処理であるため無視することができる。
【００３３】
この第２の電流制御形態を実現する図９及び図１１に示した電流制御装置１０Ｂ，１０Ｃにおいても入力端ＩＮと出力端ＯＵＴとの間の経路に図７に示した電流制御装置１０Ａに設けたようなフューズＦｕを介挿しておくことにより電流制御装置内での過電流の発生を防止し、かつアクチュエータ６への過電流の通電を未然に防止することができる。
【００３４】
ここで、以上説明した電子制御装置では、タイマにより設定される時間の間に初期電流を通電し、その後に定常電流を通電しているが、実際の適用に際してはアクチュエータ６によって可変シェード５が完全にハイビーム配光の状態にまで傾動されるまでの時間の間、初期電流を通電するように構成してもよい。すなわち、可変シェード５が完全に傾動動作されるまでの間は初期電流を通電し、その後に可変シェード５が傾動された位置を保持するための間に定常電流を通電するように構成する。このようにすることで、可変シェード５を確実に傾動させることができ、またハイビーム配光の状態が長時間継続する場合でもアクチュエータ６に通電する電流を定常電流に制御し、省電力化と過熱防止を図ることができる。
【００３５】
以上説明した第１及び第２の電流制御形態を実現するための電流制御装置は本発明を実現するための数例を示したものに過ぎず、例えばマイクロコンピュータでのソフト処理によって初期電流と定常電流を生成するように構成することも可能である。また、具体的な説明は省略するが、第１及び第２の電流制御形態の他に、例えば第３の電流制御形態として、中レベルに設定した中基準電流を基準にして、初期電流を当該中基準電流よりも大電流に制御し、定常電流を当該中基準電流よりも小電流に制御するように構成した電流制御形態とすることも可能である。
【００３６】
また、本発明が適用可能な可変シェードは前記した構成に限られるものではなく、例えば図示は省略するが２枚以上の複数のシェード板を複数の独立したソレノイド型のアクチュエータによりそれぞれ駆動させるようにし、これら複数のアクチュエータを個別に電流制御して各シェード板を選択的あるいは同時に傾動させることによって配光を切り替える構成の可変シェードであってもよい。このような場合でも各アクチュエータを相対的に大電流の初期電流と、相対的に小電流の定常電流とで制御することにより、当該アクチュエータの小型化及び省電力化が実現できるとともにアクチュエータの過熱を防止することができる。
【００３７】
また、本発明における可変シェードはロービーム配光とハイビーム配光を切り替えるための可変シェードに限られるものではなく、一の配光から他の配光に切り替える際に駆動される可変シェードであれば当該可変シェードを駆動するためのソレノイド型のアクチュエータ及び電流制御装置に適用することができる。
【産業上の利用可能性】
【００３８】
本発明は可変シェードを駆動するための駆動機構にソレノイド型のアクチュエータを備える車両用ランプに採用することができる。
【符号の説明】
【００３９】
１  ランプベース
２  光源（ＬＥＤ）
３  リフレクタ
４  照射レンズ
５  可変シェード
６  ソレノイド型のアクチュエータ
１０，１０Ａ〜１０Ｃ  電流制御装置
５１  傾動軸
５２  シェード体
５３  カムピン
６１  ケーシング（ソレノイド）
６２  アーマチュア
６３  スプリング
６４  カム部
６４ａ  カム溝
ＬＵ  ランプユニット
【図１】
2013180712.tif 000003
【図２】
2013180712.tif 000004
【図３】
2013180712.tif 000005
【図４】
2013180712.tif 000006
【図５】
2013180712.tif 000007
【図６】
2013180712.tif 000008
【図７】
2013180712.tif 000009
【図８】
2013180712.tif 000010
【図９】
2013180712.tif 000011
【図１０】
2013180712.tif 000012
【図１１】
2013180712.tif 000013
【図１２】
2013180712.tif 000014